(57)【特許請求の範囲】
【請求項１】
床スラブ上に、高さが段階的に異なる複数の床支持脚の列を複数立設し、
上記高さの異なる支持脚間に傾斜状に大引材を架設固定し、
これら大引材の上に、大引材と直交する方向に根太材を載置固定し、
これら根太材の上に鋼板を敷設して傾斜面を形成し、
上記傾斜面に、傾斜方向に所定間隔をおいて階段の蹴込部としての蹴込プレートを取り付け、
上記蹴込プレート間にコンクリートを打設し、階段の踏面を形成して階段床を構築することを特徴とする床組工法。
【請求項２】
床スラブ上に、高さが段階的に異なる複数の床支持脚の列を複数立設し、
上記高さの異なる支持脚間に傾斜状に大引材を架設固定し、
これら大引材の上に、大引材と直交する方向に根太材を載置固定し、
これら根太材の上に鋼板を敷設して傾斜面を形成し、
上記傾斜面に、傾斜方向に所定間隔をおいて階段の蹴込部としての蹴込プレートを取り付け、この蹴込プレートの側端部に傾斜方向に向けて側端プレートを取付け、
上記蹴込プレート間にコンクリートを打設し、階段の踏面を形成して階段床を構築する一方、
上記側端プレートの階段床と反対側の鋼板の傾斜面上にコンクリートを打設し、傾斜床を形成することを特徴とする床組工法。
【発明の詳細な説明】
【０００１】
【発明の属する技術分野】
本発明は、傾斜状に床下地を設ける床組工法に関する。
【０００２】
【従来の技術】
従来、映画館、劇場等のような比較的広い床面を傾斜状或いは階段状に床組みする場合には、平坦な床スラブに直接コンクリートを打ち込んで傾斜状及び階段状に床組みする工法が用いられていた。またこれを軽量化し、階段状に床組みする工法として図７に示す床組工法が用いられていた。
【０００３】
この床組工法は、１段毎に個別に床下地材を敷設する工法であり、階段の各段ごとにそれぞれ同じ高さの床支持脚２１を立設し、この床支持脚２１の上部に大引材２２、根太材２３を配置し、この根太材２３の上にデッキプレート２４を配置する。さらに、上記デッキプレート２４の前端部に蹴込み板２５を取り付けて床下地材を階段状に組み立て、デッキプレート２４の上にコンクリートを打設して階段床を構築していた。
【０００４】
【発明が解決しようとする課題】
しかし上記床組工法では、各段毎に高さを調節し、狭い範囲内で個別に床下地を組む必要があることから、施工には手間及び時間がかかり、また単位面積当たりの床支持脚等の下地材の使用量も多く、材料のロスが生じていた。また、階段床に隣接してスロープ状の傾斜床を設ける場合には、その傾斜床の部分のみスロープ状に床下地を組むなど面倒な作業を行う必要があり、さらに下地の縁が切れるなどの問題もあった。
【０００５】
また、近年映画館などは建物の高い階に設けられる場合が多く、このような高い階にスロープを形成する場合、コンクリートを既存の床スラブに直接打ち込む工法では、床に重量がかかり過ぎ、建物の構造上採用が困難であるという問題がある。
【０００６】
本発明は、上記問題点に鑑みてなされたものであり、施工性及び経済性に優れかつ軽量な床組工法を提供することを目的とする。
【０００７】
【課題を解決するための手段】
以上の技術的課題を解決するため、本発明に係る床組工法は、図１に示すように、床スラブ１上に、高さが段階的に異なる複数の床支持脚２の列を複数立設し、上記高さの異なる支持脚２間に傾斜状に大引材３を載置固定し、これら大引材３の上に、大引材３と直交する方向に根太材４を載置固定し、これら根太材４の上に鋼板５を敷設して傾斜面を形成する工法とした。
【０００８】
また、本発明に係る床組工法は、上記傾斜面にコンクリートを打設してスロープ面を形成する工法とした。
【０００９】
本発明に係る床組工法は、上記傾斜面に、傾斜方向に所定間隔をおいて階段の蹴込部としての蹴込プレート６を取り付け、上記蹴込プレート６間にコンクリートを打設し、階段の踏面を形成して階段床を構築する工法とした。
【００１０】
また、本発明に係る床組工法は、上記傾斜面に、傾斜方向に所定間隔をおいて階段の蹴込部としての蹴込プレート６を取り付け、この蹴込プレート６の側端部に傾斜方向に向けて側端プレート７を取付け、上記蹴込プレート６間にコンクリートを打設し、階段の踏面を形成して階段床を構築する一方、上記側端プレート７の階段床と反対側の鋼板の傾斜面上にコンクリートを打設して傾斜床を形成する工法とした。
【００１１】
【発明の実施の形態】
以下、本発明に係る床組工法を劇場の床構築に適用した場合について説明する。図１に示すように、劇場の床スラブ面１は水平状でありこの上方に階段床及び傾斜床を組立てる。この床組に用いられる部材は同図に示すように、床支持脚２、これに支持される大引材３及び根太材４、根太材４に載置されるデッキプレート５、及びデッキプレート５上に配置されるＺ型プレート６及びささらプレート７等である。
【００１２】
上記床支持脚２は、支持台１１、調整ボルト１２及びＵ字受具１３よりなっている。この床支持脚２は、設置場所に応じて、支持台１１及び調整ボルト１２の高さ寸法が異なるものが用いられる。大引材３は、断面略矩形状で下部の中央に開口部３ａが形成された鋼製の角パイプである。根太材４は、断面ハット状で左右にフランジ部４ａを有する鋼材である。デッキプレート５は、強度を保つために、板に断面が山と谷をもつように加工された鋼板である。
【００１３】
Ｚ型プレート６は、接地板部６ａ、この接地板部６ａの一端から立上がる蹴込板部６ｂ、及びこの蹴込板部６ｂの先端部から水平方向に屈曲される踏板部６ｃを有する鋼製の部材である。Ｚ型プレート６は階段の基礎枠として用いられるものであり、各段ごとに必要な高さレベルが得られるように加工しておく。ささらプレート７は楔形状の鋼板であり、垂直辺部７ａ、これと直交する水平辺部７ｂ及び傾斜辺部７ｃを有する。このささらプレート７は、Ｚ型プレート６の側端部に、Ｚ型プレート６と直交する向きに固着される。
【００１４】
ここで、上記床組工法の施工手順について説明する。この床が施工される劇場は、前方に舞台が設置され、後方の観客席側は、後方に向うに従って高くなる階段床１５及び両側には傾斜床１６を構築し、この階段床１５に観客席を設置する構造である。
【００１５】
上記工法は先ず、水平な床スラブ１に、スロープ状に鋼製の床下地面を構築する。このスロープ形成のため、高さが異なる複数の床支持脚２を用い、後方に向かうに従い高さの高い床支持脚２を所定の間隔をおいて列状に配置する。同様に、床支持脚２の列を左右の側に設ける。これら床支持脚２の各列に大引材３を架設し、床支持脚２のＵ字受具１３に固定する。
【００１６】
Ｕ字受具１３の底面と大引材３との間の楔状の隙間には、この隙間形状に対応する楔状片を差し込み、Ｕ字受具１３の上部をボルトで締めて固定する。全ての床支持脚２の列に、同様にして大引材３を架設する。スロープの上部に踊場等の水平状の床を設ける場合には、同じ高さの床支持脚２を配置し同様に大引材３を架設する。
【００１７】
次に、上記大引材３上にこれと直交する方向に根太材４を架設する。そして、根太材４のフランジ部４ａをビス等の止着具を用いて大引材３の上面に固定する。図２は、床支持脚２に大引材３及び根太材４を敷設した状態を示したものである。図中、Ｓで示す範囲は、通路となる帯状の傾斜床１６が形成される領域である。
【００１８】
さらに、図３に示すように根太材４の上にデッキプレート５を敷設する。一枚のデッキプレート５を複数の根太材４間に載置し、隣接するデッキプレート５同士の端部は重ね合わせる。全体にデッキプレート５を敷設すれば、床下地として、後方に向け上方に傾斜する鋼製のスロープ面１４が形成される。
【００１９】
次に、Ｚ型プレート６を上記スロープ面１４に階段としての段差を形成する位置に取り付ける。このＺ型プレート６は、各段差位置に応じて、下地の天端から階段の天端までのサイズで製作しておく。このＺ型プレート６を段差位置に取り付けると、Ｚ型プレート６の踏板部６ａが階段の踏面の高さレベルとなる。またＺ型プレート６の蹴込板部６ｂによって、階段の蹴込みが形成される。なお、Ｚ型プレート６に代えて、プレキャストコンクリート板を用いてもよい。
【００２０】
上記Ｚ型プレート６の設置により階段床１５の基礎が形成されるが、階段床１５と傾斜床１６との取合は、ささらプレート７により行う。図１に示すように、Ｚ型プレート６の端部にささらプレート７を接続して、Ｚ型プレート６の端部を閉塞する。そして、ささらプレート７の水平辺部７ｂを階段の踏面のレベルに合わせる。また、小階段１７がある場合は、この小階段１７に応じたサイズのＺ型プレート６とささらプレート７を用いる。このようにささらプレート７を使用して階段床１５と傾斜床１６との境界を形成し、また両床１５，１６の床下地は連続しており、このため床下地の縁を切ることもなく同時に構築できる。
【００２１】
上記の床下地が出来れば、鋼製のデッキプレート５のスロープ面１４の上にコンクリートを打設する。階段床１５はＺ型プレート６とスロープ面１４とによって囲まれた空間部に形成され、階段床１５の踏面は踏板部６ａを基準にして左官工事によって仕上げる。Ｚ型プレート６の側端はささらプレート７で閉塞され、階段床１５はここが側端となる。
【００２２】
この階段床１５に隣接して、通路として傾斜方向に帯状の傾斜床１６を構築する。この傾斜床１６は、スロープ面１４（Ｓ領域）に所定の厚さでコンクリートを打設し、左官工事によって表面を滑らかに仕上げる。図４は傾斜床１６を、また図５は階段床１５をそれぞれ示したものであり、スロープ面の上部には踊り場１７が設けられている。図６は、階段床１５と傾斜床１６との境界部分を示したものである。
【００２３】
上記床組工法による床下地は、傾斜通路等のスロープ面を構築する場合に適用できる。この場合には、上記工法の施工において形成したデッキプレート５のスロープ面１４を利用する。このスロープ面１４の周囲に流れ止め用のプレート（打設したコンクリートの厚さと同程度の高さで囲いが可能な板材）或いはささらプレート等を設置し、スロープ面１４の上に所定の厚さでコンクリートを打設する。そして、左官工事によりコンクリートの表面を仕上げて、滑らかなスロープ面を形成する。この工法により、デッキプレート５とコンクリートとが相まって強固な傾斜床が形成され、屋内或いは屋外において傾斜通路等として軽量のスロープ面が構築できる。尚、屋外においては、コンクリートに代えて、アスファルトコンクリート等を用いることができる。
【００２４】
従って上記実施の形態によれば、鋼製の床下地をスロープ状に組むことにより、広い面積の床について一挙に施工が行え且つ床下地の構造が従来技術のような複雑さはないことから、施工性が大きく改善されるとともに材料のロスも軽減される。社内の評価では、上記工法を採用したことにより、施工性時間が上記従来の工法の１／２程度に短縮され、しかも施工に要する材料についても従来の工法に比べて２割程度低減されている。
【００２５】
また、既存の床スラブに床支持脚２を立設して階段床の下部に空間部を形成したから、打設に要するコンクリートの量が少なくて軽量化が図れ、これにより高層階においても映画館、劇場などの階段及びスロープ面の設備を設けることが可能となる。さらに上記工法では、階段床に傾斜床を隣接する場合、階段床と傾斜床との下地を一体的に構築することができて施工が容易に行え、また強度的にも優れる。上記床組工法を、屋外の施工に用いれば、身体障害者等が車椅子を利用することができるバリアーフリーの床組が構築できる。
【００２６】
【発明の効果】
以上説明したように、本発明に係る床組工法によれば、高さの異なる支持脚間に傾斜状に大引材を載置固定し、これら大引材と直交する方向に根太材を載置固定しその上に鋼板を敷設して傾斜面を形成することとしたから、施工性がよく強度的にも優れた床下地が広範囲に構築できるという効果がある。
【００２７】
また、本発明に係る床組工法によれば、傾斜面にコンクリートを打設してスロープ面を形成することとしたから、コンクリートの使用量が少なく全体的に軽量な傾斜床を構築することができるという効果がある。
【００２８】
本発明に係る床組工法によれば、傾斜面に蹴込プレートを取り付けコンクリートを打設して階段の踏面を形成し、階段床を構築することとしたから、広範囲に亘って一気に施工が行えて施工性が大幅に改善され、加えて材料ロスが低減された経済的な階段床が得られるという効果がある。
【００２９】
また、本発明に係る床組工法によれば、傾斜面に蹴込プレートを取り付け、この側端部に側端プレートを取付けコンクリートを打設して階段床を構築する一方、側端プレートと反対側の傾斜面にコンクリートを打設して傾斜床を形成することとしたから、一体の床下地に階段床と傾斜床とを並設することができて施工が容易に行え、また強度的にも優れるという効果がある。
【図面の簡単な説明】
【図１】本発明の実施の形態に係る床組工法の説明図である。
【図２】実施の形態に係る床下地を示す部分平面図である。
【図３】床下地にデッキプレートを敷設した状態を示した図である。
【図４】実施の形態に係る傾斜床を示す図である。
【図５】実施の形態に係る階段床を示す図である。
【図６】実施の形態に係る傾斜床と階段床との境界付近を示す図である。
【図７】従来例に係る床組工法の説明図である。
【符号の説明】
１  床スラブ
２  床支持脚
３  大引材
４  根太材
５  鋼板（デッキプレート）
６  蹴込プレート（Ｚ型プレート）
７  側端プレート（ささらプレート）
【図１】
0003657458.tif 000002
【図２】
0003657458.tif 000003
【図３】
0003657458.tif 000004
【図４】
0003657458.tif 000005
【図５】
0003657458.tif 000006
【図６】
0003657458.tif 000007
【図７】
0003657458.tif 000008